(57)【要約】  加熱調理器は、加熱室とドアとダンパとダンパアームとを備える。加熱室は、本体に設けられ、被加熱物を収容するように構成される。ドアは、加熱室の前面開口を覆うように本体に取り付けられる。ダンパは、本体に設けられる。ダンパアームは、本体に設けられ、前方端と、ダンパに対向する後方端とを有する。ドアは、前方端に当接するように構成された当接部材を有する。ドアを開閉する際に、ドアが原動節として機能し、当接部材または前方端がカムとして機能し、ダンパアームが従動節として機能することにより、ダンパアームの後方端がダンパを押圧する。本態様によれば、ダンパの周囲の構造を簡素化かつ小型化することができる。その結果、ドアの開閉機構のコスト低減および省スペース化を図ることができる。
2018147322.tif 000002
【特許請求の範囲】
【請求項１】
本体に設けられ、被加熱物を収容するように構成された加熱室と、
回転軸を中心に回転自在に前記本体に取り付けられ、前記加熱室の前面開口を覆うように構成されたドアと、
前記本体に設けられたダンパと、
前記本体に設けられ、前方端と、前記ダンパに対向する後方端とを有するダンパアームと、を備え、
前記ドアは、前記前方端に当接するように構成された当接部材を有し、
前記ドアが前記回転軸を中心に回転すると、前記ドアが原動節として機能し、前記当接部材または前記前方端がカムとして機能し、前記ダンパアームが従動節として機能することにより、前記ダンパアームの前記後方端が前記ダンパを押圧するように構成された加熱調理器。
【請求項２】
前記ドアの全閉状態に近い前記ドアの開き角度と、前記ドアの全開状態に近い前記ドアの前記開き角度とにおいて、前記ダンパアームの前記後方端が前記ダンパを押圧するように構成された、請求項１に記載の加熱調理器。
【請求項３】
前記全閉状態と前記全開状態との間の前記ドアの前記開き角度において、前記ダンパアームの前記後方端が前記ダンパを押圧しないように構成された、請求項２に記載の加熱調理器。
【請求項４】
前記当接部材が前記カムとして機能するように構成された、請求項１に記載の加熱調理器。
【請求項５】
前記当接部材が、第１当接部と第２当接部とを有し、
前記ドアの全閉状態では、前記第１当接部のみが前記ダンパアームの前記前方端に当接し、
前記ドアの全開状態では、前記第２当接部のみが前記前方端に当接し、
前記全閉状態と前記全開状態との間の前記ドアの開き角度において、前記第１当接部と前記第２当接部とが前記前方端に当接するように構成された、請求項４に記載の加熱調理器。
【請求項６】
前記前方端が反対カムとして機能するように構成された、請求項１に記載の加熱調理器。
【発明の詳細な説明】
【技術分野】
【０００１】
本開示は、加熱調理器、特にそのドアに関する。
【背景技術】
【０００２】
特許文献１は、従来の加熱調理器のドアの一例を開示している。図１０は、特許文献１に記載の従来の加熱調理器の、ドアを閉めた状態における一部切欠き側面図であり、図１１は、その加熱調理器のドアを開けた状態における一部切欠き側面図である。【０００３】
図１０、図１１に示すように、加熱調理器は、本体５１内に設けられた加熱室５２と、加熱室５２の前面開口を覆うドア５３と、ドア５３の開閉機構とを有する。【０００４】
ドア５３の開閉機構は、ダンパ５４とドアアーム５６とローラ５７とバネ５８と作動レバー６２と連結レバー６４とを有する。【０００５】
加熱室５２の上方の本体５１と加熱室５２との間の空間には、電気部品６６が配置される。【０００６】
ドア５３を閉じる場合、図１０に示すように、バネ５８によりドア５３の衝撃力が発生する。ドア５３を完全に閉じる直前に、ドア５３の内側面が、作動レバー６２に設けられた凸部６１を矢印Ｙａの方向に押す。この動作により、ドア５３の衝撃力がダンパ５４に伝達され、ダンパ５４によって吸収される。【０００７】
ドア５３を開ける場合、ドアアーム５６は、バネ５８によってローラ５７に押し付けられながら引き出される。図１１に示す状態まで引き出されると、ドアアーム５６は、ドアアーム５６に設けられたピン６８で、連結レバー６４の下端を矢印Ｙｂの方向に押す。【０００８】
その結果、連結レバー６４の上端が矢印Ｙｃの方向に移動して、作動レバー６２に設けられた凸部６１を矢印Ｙｄの方向に押す。これらの動作により、ドア５３の自重による衝撃力がダンパ５４に伝達され、ダンパ５４によって吸収される。【０００９】
上記従来技術によれば、ドア５３の開閉時に加熱調理器の本体５１に伝わる衝撃力をダンパ５４により緩和することで、加熱室５２内での液体の飛び散りを防止するとともに、振動による電気部品６６への影響を抑制する。
【先行技術文献】
【特許文献】
【００１０】
【特許文献１】特開２００２−０３９５４１号公報
【発明の概要】
【００１１】
しかしながら、特許文献１に記載の発明では、ドア５３を開ける場合と閉める場合とで、ダンパ５４に衝撃力を伝達する仕組みが異なり、ダンパ５４の周囲の部品点数が増加する。このため、ドア５３の開閉機構を簡素化、小型化することが困難である。
【００１２】
本開示の一態様の加熱調理器は、加熱室とドアとダンパとダンパアームとを備える。加熱室は、本体に設けられ、被加熱物を収容するように構成される。ドアは、回転軸を中心に回転自在に本体に取り付けられ、加熱室の前面開口を覆うように構成される。ダンパは、本体に設けられる。ダンパアームは、本体に設けられ、前方端と、ダンパに対向する後方端とを有する。
【００１３】
ドアは、前方端に当接するように構成された当接部材を有する。ドアが回転軸を中心に回転すると、ドアが原動節として機能し、当接部材または前方端がカムとして機能し、ダンパアームが従動節として機能することにより、ダンパアームの後方端がダンパを押圧するように構成される。
【００１４】
本態様によれば、ドアの開閉時に加熱調理器の本体に伝わる衝撃力を緩和するダンパの周囲の構造を簡素化かつ小型化することができる。その結果、ドアの開閉機構のコスト低減および省スペース化を図ることができる。
【図面の簡単な説明】
【００１５】
【図１】図１は、本開示の実施の形態１に係る加熱調理器の、ドアを完全に閉めた状態における一部切欠き側面図である。
【図２】図２は、実施の形態１に係る加熱調理器の、ドアを途中まで開けた状態における一部切欠き側面図である。
【図３】図３は、実施の形態１に係る加熱調理器の、ドアを完全に開けた状態における一部切欠き側面図である。
【図４】図４は、実施の形態１に係る加熱調理器におけるドア開閉時のダンパ、ダンパアーム、および、当接部材の要部拡大側面図である。
【図５】図５は、実施の形態１においてダンパが作動するドアの開き角度の範囲を示す図である。
【図６】図６は、本開示の実施の形態２に係る加熱調理器の、ドアを閉めた状態における一部切欠き側面図である。
【図７】図７は、ドアを開ける際のドアのいくつかの中間状態を示す、実施の形態２に係る加熱調理器の一部切欠き上面図である。
【図８】図８は、実施の形態２におけるドアの開閉時のダンパ、ダンパアーム、および、当接部材の要部拡大側面図である。
【図９】図９は、実施の形態２においてダンパが作動するドアの開き角度の範囲を示す図である。
【図１０】図１０は、従来の加熱調理器の、ドアを閉めた状態における一部切欠き側面図である。
【図１１】図１１は、従来の加熱調理器の、ドアを開けた状態における一部切欠き側面図である。
【発明を実施するための形態】
【００１６】
本開示の第１の態様の加熱調理器は、加熱室とドアとダンパとダンパアームとを備える。加熱室は、本体に設けられ、被加熱物を収容するように構成される。ドアは、回転軸を中心に回転自在に本体に取り付けられ、加熱室の前面開口を覆うように構成される。ダンパは、本体に設けられる。ダンパアームは、本体に設けられ、前方端と、ダンパに対向する後方端とを有する。
【００１７】
ドアは、前方端に当接するように構成された当接部材を有する。ドアが回転軸を中心に回転すると、ドアが原動節として機能し、当接部または前方端がカムとして機能し、ダンパアームが従動節として機能することにより、ダンパアームの後方端がダンパを押圧するように構成される。
【００１８】
本開示の第２の態様の加熱調理器では、第１の態様に加えて、ドアの全閉状態に近いドアの開き角度と、ドアの全開状態に近いドアの前記開き角度とにおいて、ダンパアームの後方端がダンパを押圧するように構成される。
【００１９】
本開示の第３の態様の加熱調理器では、第２の態様に加えて、全閉状態と全開状態との間のドアの開き角度において、ダンパアームの後方端がダンパを押圧しないように構成される。
【００２０】
本開示の第４の態様の加熱調理器では、第１の態様に加えて、当接部がカムとして機能するように構成される。
【００２１】
本開示の第５の態様の加熱調理器では、第４の態様に加えて、当接部材が、第１当接部と第２当接部とを有する。ドアの全閉状態では、第１当接部のみがダンパアームの前方端に当接する。ドアの全開状態では、第２当接部のみが前方端に当接する。
【００２２】
全閉状態と全開状態との間のドアの開き角度において、第１当接部と第２当接部とが前方端に当接するように構成される。
【００２３】
本開示の第６の態様の加熱調理器では、第１の態様に加えて、前方端が反対カムとして機能するように構成される。
【００２４】
以下、本開示の実施の形態について、図面を参照しながら説明する。
【００２５】
（実施の形態１）
図１は、本開示の実施の形態１に係る加熱調理器の、ドア３を完全に閉めた状態における一部切欠き側面図である。図２は、本実施の形態に係る加熱調理器の、ドア３を途中まで開けた状態における一部切欠き側面図である。図３は、本実施の形態に係る加熱調理器の、ドア３を完全に開けた状態における一部切欠き側面図である。
【００２６】
本実施の形態では、加熱調理器の本体１のドア３側、すなわち、図１〜図３の左側を前方とする。前方から本体１に向かって右側、すなわち、図１〜図３の手前側を右側とする。ドア３を完全に閉めた状態をドア３の全閉状態といい、ドア３を完全に開けた状態をドア３の全開状態という。
【００２７】
図１〜図３に示すように、加熱調理器の本体１内には、前面開口２ａを有する加熱室２が設けられる。加熱室２の前面には、前面開口２ａを覆うようにドア３が設けられる。
【００２８】
ドア３は、その下部に設けられて水平方向（図面では奥行き方向）に延在する回転軸９を中心に回転自在の、いわゆる縦開きのドアである。ドア３は、開き角度が０°〜９０°の範囲で回転自在である。ドア３の上部には把手１０が設けられる。
【００２９】
加熱調理器の本体１はさらに、ドアアーム６とローラ７とバネ８とを備える。ローラ７は、加熱室２と本体１との間の空間に取り付けられる。バネ８の一端は、本体１内の下部に固定される。
【００３０】
ドアアーム６は細長い板状の部材である。ドアアーム６の下縁部はローラ７に当接する。ドアアーム６の一端はドア３に回転自在に取り付けられる。ドアアーム６の他端はバネ８の他端に係合される。この構成により、ドアアーム６は、バネ８によってローラ７に押し付けられる。
【００３１】
ドア３の開き角度が所定値より小さい場合、バネ８によってドア３を閉めようとする力が、ドア３の自重によってドア３を開けようとする力より大きい。このため、使用者が把手１０を離すと、ドア３はバネ８の力により自動的に閉まる。
【００３２】
バネ８の力は、図２または図３の状態から使用者がドア３を閉めるのを補助する。図１に示す状態において、バネ８の力で加熱室２の密閉状態が保持される。
【００３３】
ドア３の開き角度が所定値以上である場合、バネ８によってドア３を閉めようとする力が、ドア３の自重によってドア３を開けようとする力より小さい。このため、使用者が把手１０を離すと、ドア３は自重により自動的に開く。
【００３４】
加熱調理器の本体１はさらにダンパ４を備える。ダンパ４は、ドア３の開閉時に、加熱調理器の本体１に伝わる衝撃力を緩和する。以下、ダンパ４について説明する。
【００３５】
ダンパ４は、その長手方向が加熱調理器の本体１の前後方向を向くように、本体１の下部に配置される。
【００３６】
ダンパアーム５は、前方端５ａと後方端５ｂとを有し、ダンパ４と同一直線上に並ぶようにダンパ４の前方に配置された、細長い棒状の部材である。ダンパアーム５は、その長手方向すなわち前後方向に摺動可能である。
【００３７】
ダンパアーム５の前方端５ａは、ダンパアーム５の先端に設けられて本体１外に突出する板状部材である。ダンパアーム５の後方端５ｂは本体１内でダンパ４に当接する。前方端５ａが後方に押されると、後方端５ｂがダンパ４を押圧する。
【００３８】
ドア３の下部には、凹部３ａが設けられる。凹部３ａ内には、水平方向（図面では奥行き方向）に突出する当接部材１１が設けられる。本実施の形態では、当接部材１１は、二つの突起状部材（第１当接部１１ａ、第２当接部１１ｂ）を有する。
【００３９】
図１に示すように、ドア３の全閉状態において、当接部材１１は、第１当接部１１ａが回転軸９の上方に位置し、第２当接部１１ｂが回転軸９の前方に位置するように設けられる。より詳細には、第１当接部１１ａ、回転軸９を結ぶ線分が、第２当接部１１ｂ、回転軸９を結ぶ線分と直交する。二つの線分の長さは同じである。
【００４０】
なお、凹部３ａ内には第１当接部１１ａ、第２当接部１１ｂのみが配置される。回転軸９は、図示されない部材がドア３を軸支することにより、図１〜図３に示す位置に仮想的に形成されるものであって、実際に凹部３ａ内に存在するわけではない。
【００４１】
第１当接部１１ａと第２当接部１１ｂとは、以下のようにして、ドア３の開閉時に前方端５ａに当接する。
【００４２】
図１に示す状態では、前方端５ａは第１当接部１１ａに当接している。この状態からドア３を開けると、当接部材１１は回転軸９を中心としてドア３とともに回転する。図２に示す状態までは、ドア３の回転に連動して、前方端５ａは第１当接部１１ａだけに当接しながら、ダンパアーム５は前方に移動する。
【００４３】
図２に示す状態では、前方端５ａは第１当接部１１ａおよび第２当接部１１ｂに当接する。この状態において、ダンパアーム５は最も前方に位置する。
【００４４】
ドア３をさらに開けると、さらに当接部材１１は回転軸９を中心としてドア３とともに回転する。ドア３の回転に連動して、前方端５ａが第２当接部１１ｂだけに当接しながら、ダンパアーム５は後方に移動する。ドア３は図３に示す状態に移行する。
【００４５】
図３に示す状態からドア３を閉める場合、当接部材１１は回転軸９を中心としてドア３とともに回転する。図２に示す状態までは、ドア３の回転に連動して、前方端５ａが第２当接部１１ｂだけに当接しながら、ダンパアーム５は前方に移動する。
【００４６】
図２に示す状態では、前方端５ａは第２当接部１１ｂおよび第１当接部１１ａに当接する。この状態において、ダンパアーム５は最も前方に位置する。
【００４７】
ドア３をさらに閉めると、さらに当接部材１１は回転軸９を中心としてドア３とともに回転する。ドア３の回転に連動して、前方端５ａが第１当接部１１ａだけに当接しながら、ダンパアーム５は後方に移動する。ドア３は図１に示す状態に移行する。
【００４８】
このように、ドア３が回転軸９を中心に９０°回転するのに伴い、ダンパアーム５は、本体１の前後方向に往復運動を行う。すなわち、本実施の形態では、ドア３が原動節として機能し、当接部材１１（第１当接部１１ａ、第２当接部１１ｂ）が一種の平面カムとして機能し、ダンパアーム５が従動節として機能する。
【００４９】
図４は、加熱調理器の本体１におけるドア開閉時のダンパ４、ダンパアーム５、および、第１当接部１１ａの要部拡大側面図である。図５は、ダンパ４が作動するドア３の開き角度の範囲を示す図である。
【００５０】
図４に示すように、第１当接部１１ａおよび第２当接部１１ｂ（第２当接部１１ｂは図４には図示せず）の位置、および、ダンパアーム５の前方端５ａの形状を変更することで、ダンパ４による緩衝効果を調整することができる。
【００５１】
図４に示す構成例Ｃ１と構成例Ｃ２とを比べると分かるように、第１当接部１１ａに最初に当接する前方端５ａの水平方向の位置は、前方端５ａの形状に応じて変わる。このため、前方端５ａの形状を調整することで、ダンパ４を押圧するドア３の開き角度の範囲を、例えば次のように設定することができる。
【００５２】
図５に示すように、開き角度が０°の場合、ドア３は全閉状態であり、開き角度が９０°の場合、ドア３は全開状態である。
【００５３】
開き角度が０°〜３０°の範囲では、ダンパアーム５の後方端５ｂがダンパ４を押圧する。開き角度が３０°〜６０°の範囲では、後方端５ｂはダンパ４を押圧しない。開き角度が６０°〜９０°の範囲では、後方端５ｂがダンパ４を押圧する。
【００５４】
すなわち、全閉状態に近いドア３の開き角度と、全開状態に近いドア３の開き角度とにおいて、ダンパアーム５の後方端５ｂはダンパ４を押圧する。
【００５５】
本実施の形態では、ドア３を開ける場合、開き角度が６０°〜９０°の範囲で、ダンパ４の反発力が、ドア３の動きとは逆方向の制動力としてドア３に作用する。すなわち、ダンパ４の作動範囲は、開き角度が６０°〜９０°の範囲（作動範囲Ａ）となる。
【００５６】
ドア３を閉じる場合は、開き角度が３０°〜０°の範囲で、ダンパ４の反発力が、ドア３の動きとは逆方向の制動力としてドア３に作用する。すなわち、ダンパ４の作動範囲は、開き角度が０°〜３０°の範囲（作動範囲Ｂ）となる。
【００５７】
開き角度が３０°〜６０°の範囲では、ダンパ４の反発力はダンパアーム５に及ばず、使用者への負担が軽減される。
【００５８】
図４に示す構成例Ｃ１と構成例Ｃ３とを比べると分かるように、第１当接部１１ａと回転軸９との距離が変わると、同じ開き角度に対応する第１当接部１１ａの水平方向の移動距離が変わる。これにより、ドア３に作用するダンパ４の制動力を所望の値に設定することができる。
【００５９】
以上のように、ドア３を完全に開ける前、および、完全に閉じる前に、ダンパ４の制動力がドア３に作用する。これにより、縦開きのドア３の開閉時に、加熱調理器の本体１に伝わる衝撃力をダンパ４により緩和することができる。
【００６０】
本実施の形態によれば、ダンパ４の周囲の構造を簡素化かつ小型化することができる。その結果、ドア３の開閉機構のコスト低減および省スペース化を図ることができる。
【００６１】
本実施の形態では、当接部材１１は二つの突起状部材（第１当接部１１ａ、第２当接部１１ｂ）を有する。しかし、本開示はこれに限定されるものではなく、当接部材１１が、本実施の形態の第１当接部１１ａおよび第２当接部１１ｂと同じ位置に二つの辺を有する一つの板状部材で構成されてもよい。
【００６２】
（実施の形態２）
本開示の実施の形態２について、実施の形態１との相違点に注目して説明する。
【００６３】
図６は、本実施の形態に係る加熱調理器の、ドアを閉めた状態における一部切欠き側面図である。
【００６４】
図７は、ドア３を開ける際のドア３のいくつかの中間状態を示す、本実施の形態に係る加熱調理器の一部切欠き上面図である。
【００６５】
図６、図７に示すように、本実施の形態では、ドア３は、本体１の前面左側に設けられ、垂直方向に延在する回転軸９を中心に回転自在の、いわゆる横開きのドアである。
【００６６】
ダンパアーム５の前方端５ｃは、本体１外に突出し、後述する凹部３ａ内に挿入される。ダンパアーム５の後方端５ｂは、本体１内でダンパ４に対向する。前方端５ｃが後方に押されると、後方端５ｂがダンパ４を押圧する。
【００６７】
ドア３の下部には、凹部３ａが設けられる。凹部３ａ内には、垂直方向に突出する当接部材１１が設けられる。本実施の形態では、当接部材１１は一つの突起状部材（第３当接部１１ｃ）で構成される。
【００６８】
なお、実施の形態１と同様、凹部３ａ内には第３当接部１１ｃ、前方端５ｃのみが配置される。回転軸９は、図示されない部材がドア３を軸支することにより、図６に示す位置に仮想的に形成されるものであって、実際に凹部３ａ内に存在するわけではない。
【００６９】
第３当接部１１ｃは、以下のように、ドア３の開閉時に前方端５ｃに当接する。
【００７０】
図６に示す全閉状態（図７の状態Ｄ１）から使用者がドア３の右端に設けられた把手１０を引くと、ドア３は、図７に示す途中の状態（Ｄ２〜Ｄ４）を経由して全開状態（Ｄ５）で停止する。
【００７１】
図８は、本実施の形態におけるドア３の開閉時のダンパ４、ダンパアーム５、および、第３当接部１１ｃの要部拡大上面図である。
【００７２】
図８に示すように、第３当接部１１ｃは、ドア３の全閉状態において回転軸９の右側に設けられる（図８の状態Ａ１参照）。
【００７３】
ダンパアーム５の前方端５ｃは、次のような形状を有する。
【００７４】
ドア３の全閉状態において、第３当接部１１ｃは前方端５ｃと接点Ｐ１で接する（図８の状態Ａ１参照）。全閉状態と全開状態との間のドア３の開き角度（本実施の形態では９０°）において、第３当接部１１ｃは前方端５ｃと接点Ｐ２で接する（図８の状態Ａ３参照）。ドア３の全開状態において、第３当接部１１ｃは前方端５ｃと接点Ｐ３で接する（図８の状態Ａ５参照）。
【００７５】
接点Ｐ１〜Ｐ３のうち、接点Ｐ１が最も後方に位置し、接点Ｐ２が最も前方に位置する。接点Ｐ１〜Ｐ３における接線は、ダンパアーム５の長手方向とほぼ直交する。接点Ｐ２は、接点Ｐ１となめらかな曲線で接続され、接点Ｐ３は、接点Ｐ２となめらかな曲線で接続される。
【００７６】
回転軸９を中心にドア３を１５０°回転させる際、第３当接部１１ｃは前方端５ｃに接しながら回転する。ダンパアーム５は、上記前方端５ｃの形状により、ドア３の回転に連動して本体１の前後方向に往復運動を行う。
【００７７】
すなわち、本実施の形態では、ドア３が原動節として機能し、前方端５ｃが反対カムとして機能し、ダンパアーム５が従動節として機能する。その結果、以下に示すように、開き角度の所定範囲で３回、ダンパアーム５の後方端５ｂがダンパ４を押圧する。
【００７８】
図７において、状態Ｄ１では、ドア３の開き角度は０°（全閉状態）である。状態Ｄ２、Ｄ３、Ｄ４では、開き角度はそれぞれ４５°、９０°、１２０°である。状態Ｄ５では、開き角度は１５０°（全開状態）である。
【００７９】
図８において、状態Ａ１〜Ａ５は、ドア３が状態Ｄ１〜Ｄ５にあるときのダンパアーム５およびダンパ４の状態をそれぞれ示す。
【００８０】
図７の状態Ｄ１では、ダンパアーム５の前方端５ｃは第３当接部１１ｃにより押され、ダンパアーム５の後方端５ｂがダンパ４を押圧する。開き角度が０°〜３０°の範囲において、後方端５ｂはダンパ４を押圧する。
【００８１】
開き角度が３０°を超えると、後方端５ｂはダンパ４を押圧しなくなる。開き角度が４５°（状態Ｄ２）のとき、再び後方端５ｂはダンパ４を押圧し始め、開き角度が９０°（状態Ｄ３）になるまで後方端５ｂはダンパ４を押圧し続ける。
【００８２】
開き角度が９０°を超えると、再び後方端５ｂはダンパ４を押圧しなくなる。開き角度が１２０°（状態Ｄ４）を超えると、再び後方端５ｂはダンパ４を押圧する。
【００８３】
すなわち、全閉状態に近いドア３の開き角度と、全開状態に近いドア３の開き角度と、全閉状態と全開状態との間のドア３の開き角度において、ダンパアーム５の後方端５ｂがダンパ４を押圧する。
【００８４】
図９は、本実施の形態において、ダンパ４が作動するドア３の開き角度の範囲を示す図である。
【００８５】
ドア３を開ける場合、開き角度が４５°〜９０°の範囲と、開き角度が１２０°〜１５０°の範囲で、ダンパ４の反発力が、ドア３の動きとは逆方向の制動力としてドア３に作用する。すなわち、ダンパ４の作動範囲は、開き角度が４５°〜９０°の範囲（作動範囲Ｄ）、および、開き角度が１２０°〜１５０°の範囲（作動範囲Ｃ）となる（図９参照）。
【００８６】
反対にドア３を閉じる場合は、開き角度が９０°〜４５°の範囲と、開き角度が３０°〜０°の範囲で、ダンパ４の反発力が、ドア３の動きとは逆方向の制動力としてドア３に作用する。すなわち、ダンパ４の作動範囲は、開き角度が４５°〜９０°の範囲（作動範囲Ｄ）、および、開き角度が０°〜３０°の範囲（作動範囲Ｅ）となる（図９参照）。
【００８７】
開き角度が３０°〜４５°の範囲および開き角度が９０°〜１２０°の範囲では、ダンパ４の反発力はダンパアーム５に及ばず、使用者への負担が軽減される。
【００８８】
以上のように、ドア３を完全に開ける前、および、完全に閉じる前に、ダンパ４の制動力がドア３に作用する。これにより、横開きのドア３の開閉時に、加熱調理器の本体１に伝わる衝撃力をダンパ４により緩和することができる。
【００８９】
ドア３が半開きの状態でも、ダンパ４の制動力がドア３に作用する。これにより、調理後に加熱室２の内部を冷却するために、ドア３を半開きの状態で開け放しておくことが可能となる。
【００９０】
本実施の形態によれば、ダンパ４の周囲の構造を簡素化かつ小型化することができる。その結果、ドア３の開閉機構のコスト低減および省スペース化を図ることができる。
【００９１】
本実施の形態では、ドア３の凹部３ａに突起状の第３当接部１１ｃが設けられ、ダンパアーム５の前方端５ｃが図８に示す形状を有する。しかし、本開示はこれに限定されるものではなく、第３当接部１１ｃおよび前方端５ｃと同様の機能を有するものであれば、他の構成を用いてもよい。
【産業上の利用可能性】
【００９２】
本開示は調理器だけでなく、その他の電化製品、家具にも適用可能である。
【符号の説明】
【００９３】
１，５１  本体
２，５２  加熱室
２ａ  前面開口
３，５３  ドア
３ａ  凹部
４，５４  ダンパ
５  ダンパアーム
５ａ，５ｃ  前方端
５ｂ  後方端
６，５６  ドアアーム
７，５７  ローラ
８，５８  バネ
９  回転軸
１０  把手
１１  当接部材
１１ａ  第１当接部
１１ｂ  第２当接部
１１ｃ  第３当接部
６１  凸部
６２  作動レバー
６４  連結レバー
６６  電気部品
６８  ピン
【図１】
2018147322.tif 000003
【図２】
2018147322.tif 000004
【図３】
2018147322.tif 000005
【図４】
2018147322.tif 000006
【図５】
2018147322.tif 000007
【図６】
2018147322.tif 000008
【図７】
2018147322.tif 000009
【図８】
2018147322.tif 000010
【図９】
2018147322.tif 000011
【図１０】
2018147322.tif 000012
【図１１】
2018147322.tif 000013
【国際調査報告】
2018147322.tif 000014
2018147322.tif 000015
2018147322.tif 000016
2018147322.tif 000017